(57)【要約】【課題】    本発明は横方向にティッシュペーパーを引き出すことで狭い場所で使用ができ、目隠しカバーが引き出された摘み部分をも覆い隠し、曲面部にも装着できる収納体と目隠しカバーを提供すること。【解決手段】    ティッシュペーパーの折り畳まれた集合体１を収納する収納体２の、引き出し口の角を丸め、その丸みを介してティッシュペーパーの向きを横方向に変化させて、横よりの取り出しとし、また引き出し抵抗を減少させ、引き出された摘み部分５が、誘導される隙間を確保して、曲面部にも装着ができ、それらを覆い隠す目隠しカバー６が、ティッシュペーパーを外部より目視不可の状態とする。【選択図】  図２
2005324855.tif 000002
【特許請求の範囲】
【請求項１】
多数枚のティッシュペーパーが折り畳まれながら重ね合わされた集合体で、引き出し口よりティッシュペーパーの摘み部分が引き出され、１枚づつ引き出し口を介して順次取り出されるように収納されている収納体の、
引き出し口に丸みを設けて、ティッシュペーパーの向きを変化させ、引き出して使用するように構成された収納体の、
外周を被覆するカバーであり、ティッシュペーパーの摘み部分の引き出された方向のカバーには、切り込みのある取り出し口を設け、
通常は、収納体と引き出された摘み部分は、カバーにより目隠しされ、外部より目視不可の状態であり、
曲面部に装着されても、引き出された摘み部分は、前記カバーと収納体との隙間である誘導空間に引き出され、
ティッシュペーパーを外部に取り出す場合には、前記カバーの取り出し口を介して、誘導空間に引き出されている摘み部分を持ち、そのまま外部に取り出して使用するように構成されたティッシュペーパー収納体の目隠しカバー。
【請求項２】
多数枚のティッシュペーパーが折り畳まれながら重ね合わされた集合体で、引き出し口よりティッシュペーパーの摘み部分が引き出され、１枚づつ順次取り出されるように収納されている収納体の、
引き出し口に丸みを設けて、ティッシュペーパーの向きを変化させ、引き出して使用するように構成された収納体の、
外周を被覆するカバーであるが、装着する曲面部に一致するように、あらかじめカバーを曲面に形成し、引き出された摘み部分は、カバーと収納体との隙間である誘導空間に引き出され、
ティッシュペーパーの摘み部分の引き出された方向のカバーには、切り込みのある取り出し口を設け、
通常は、収納体と引き出された摘み部分は、カバーにより目隠しされ、外部より目視不可の状態であり、
ティッシュペーパーを外部に取り出す場合には、前記カバーの取り出し口を介して、誘導空間に引き出されている摘み部分を持ち、そのまま外部に取り出して使用するように構成されているティッシュペーパー収納体カバー。
【請求項３】
多数枚のティッシュペーパーが折り畳まれながら重ね合わされた集合体で、引き出し口よりティッシュペーパーの摘み部分が引き出され、１枚づつ順次取り出されるように収納されている収納体の、
引き出し口に丸みを設けて、ティッシュペーパーの向きを変化させ、引き出して使用するように構成された収納体の、
さらに引き出し口及び摘み部分を覆う蓋を、収納体に設け、
曲面部に装着されても、前記蓋と収納体との間に、摘み部分が引き出される隙間である誘導空間を確保し、
通常は、引き出し口と引き出された摘み部分は、前記蓋により目隠しされ、
ティッシュペーパーを外部に取り出す場合には、前記誘導空間に引き出されている摘み部分を持ち、そのまま外部に取り出して使用するように構成されているティッシュペーパー収納体。
【請求項４】
多数枚のティッシュペーパーが折り畳まれながら重ね合わされた集合体で、引き出し口よりティッシュペーパーの摘み部分が引き出され、１枚づつ順次取り出されるように収納されている収納体の、
引き出し口に丸みをを設けて、ティッシュペーパーの向きを変化させ、引き出して使用するように構成された収納体の、
さらに引き出し口及び摘み部分を覆う蓋を収納体に設け、前記蓋と収納体との間に、摘み部分が引き出される隙間である誘導空間を確保する収納体の、
外周を被覆するカバーであり、ティッシュペーパーの摘み部の引き出された方向のカバーには、切り込みのある取り出し口を設け、
曲面部に装着されても、前記蓋と収納体との間に、摘み部分が引き出される隙間である誘導空間を確保し、
通常は、収納体と引き出された摘み部分は、カバーにより目隠しされ、、外部より目視不可の状態であり、
ティッシュペーパーを外部に取り出す場合には、前記目隠しカバーの取り出し用の切り込み口を介して、前記誘導空間に引き出されている摘み部分を持ち、そのまま外部に取り出して使用するように構成されているティッシュペーパー収納カバー。
【発明の詳細な説明】
【技術分野】
【０００１】  本発明は横方向にティッシュを引き出すティッシュペーパー収納体であり、平面部にも曲面部にも装着ができ、また引き出された摘み部分も覆い隠し、外部よりティッシュペーパーを見えない状態にする蓋付き収納体と目隠しカバーに関するものである。
このとき上記の横は、側面と同意語とする。
【背景技術】
【０００２】  従来のボックスティッシュは、ティッシュペーパーが引き出し口より上方向にヒラヒラと摘み部分が引き出されていて、摘み部分を見えない状態にするには、装飾等で目隠して背の高い状態で使用したり、また横に取り出し口を設けて、ティッシュペーパーを横より取り出し、狭い場所でも使用ができるものは提案されていたが、不必要時には横方向でもヒラヒラと引き出された摘み部分は、場所柄においては見苦しいという欠点があり、一例として、ぬいぐるみ等ティッシュカバーの背中より、摘み部分がヒラヒラと引き出されていた。【０００３】  従来のボックスティッシュやポケットティッシュは、平らな場所等で設置したり利用するのが通常の使用形態であり、曲面部への装着は、ティッシュペーパーの引き出し抵抗が大きく、順次の取り出しが困難であったり、切断されて使用できないという欠点があった。【０００４】  また蓋を開閉するティッシュペーパーホルダー等の横方向の取り出しや、摘み部分を目隠しする方法も提案されているが、これは蓋を開閉する動作が必要であったり、蓋の回動装置を追加して複雑な構造になるものは提案されているが、またポケットティッシュの適所への内臓使用の例もあるが、摘み部分が無い状態で折り畳まれているために、引き出し使用には手間がかかり、どちらも内臓利用でのティッシュペーパーの取り出し使用は簡単ではない、という欠点があった。【０００５】  横方向に摘み部分を引き出し、外周を被覆する目隠しカバーも提案されているが、ティッシュペーパーの引き出し抵抗が大きくなり、順次の引き出し使用が容易ではないという欠点があった。
（例えば特許文献１−６参照）
【特許文献１】  実開平０６−４２７５２
【特許文献２】  実開平０７−１７１９６
【特許文献３】  特開平０７−１８７２６１
【特許文献４】  特開平１０−２３４６１５
【特許文献５】  特開２００３−３２５３７６
【特許文献６】  特開２００４−５１０７９
【発明の開示】
【発明が解決しようとする課題】
【０００６】  本発明は以上のような従来の欠点を鑑み、横方向の取り出しで薄型で利用ができ、曲面部にも装着可能なティッシュペーパー収納体と、それらを覆い隠す目隠しカバーであり、順次の取り出し用の摘み部分や収納体を、外部より見えないようにしてスッキリ感を与へ、今まで利用されていなかった色々な適所に内臓可能なティッシュペーパー収納体と、目隠しカバーを提供することにある。【０００７】  本発明の前記ならびにその他の目的と新規な特徴は次の説明を添付図面と照らし合わせて読むと、より明らかになるであろう。
ただし、図面はもっぱら解説のためのものであって、本発明の技術的範囲を限定するものではない。
【課題を解決するための手段】
【０００８】  上記目的を達成するため、本発明の請求項１に記載のティッシュペーパー収納体の目隠しカバーは、多数枚のティッシュペーパーが折り畳まれながら重ね合わせられた集合体で、引き出し口よりティッシュペーパーの摘み部分が引き出され、１枚づつ引き出し口を介して順次取り出されるように収納されている収納体の、引き出し口に丸みを設けて、ティッシュペーパーの向きを変化させ、引き出して使用するように構成された収納体の、外周を被覆するカバーであるが、ティッシュペーパーの摘み部分の引き出された方向のカバーには、切り込みのある取り出し口を設け、通常は、収納体と引き出された摘み部分は、カバーにより目隠しされ、外部より目視不可の状態であり、曲面部に装着されても、引き出された摘み部分は、前記収納体とカバーとの隙間を通り、摘み部分先方の隙間である誘導空間に引き出され、ティッシュペーパーを外部に取り出す場合には、目隠しカバーの取り出し口を介して、誘導空間に引き出されている摘み部分を持ち、そのまま外部に取り出して使用するように構成されたことを特徴とするものである。【０００９】  本発明の請求項２に記載のティッシュペーパー収納体の目隠しカバーは、多数枚のティッシュペーパーが折り畳まれながら重ね合わせられた集合体で、引き出し口よりティッシュペーパーの摘み部分が引き出され、１枚づつ引き出し口を介して順次取り出されるように収納されている収納体の、引き出し口に丸みを設けて、ティッシュペーパーの向きを変化させ、引き出して使用するように構成された収納体の、外周を被覆するカバーであるが、装着する曲面部に一致するように、あらかじめカバーを曲面に形成し、ティッシュペーパーの摘み部分の引き出された方向のカバーには、切り込みのある取り出し口を設け、引き出された摘み部分は、前記カバーと収納体との隙間を通り、摘み部分先方の隙間である誘導空間に引き出され、ティッシュペーパーを外部に取り出す場合には、目隠しカバーの取り出し口を介して、誘導空間に引き出されている摘み部分を持ち、そのまま外部に取り出して使用するように構成されたことを特徴とするものである。【００１０】  本発明の請求項３に記載のティッシュペーパー収納体は、多数枚のティッシュペーパーが折り畳まれながら重ね合わせられた集合体で、引き出し口よりティッシュペーパーの摘み部分が引き出され、１枚づつ引き出し口を介して順次取り出されるように収納されている収納体の、引き出し口に丸みを設けて、ティッシュペーパーの向きを変化させ、引き出して使用するように構成された収納体の、さらに引き出し口及び摘み部分を覆う蓋を収納体に設け、曲面部に装着されても、蓋と収納体との間に、摘み部分が引き出される隙間である誘導空間を確保し、通常は、引き出し口と引き出された摘み部分は、前記蓋により目隠しされ、ティッシュペーパーを外部に取り出す場合には、前記誘導空間に引き出されている摘み部分を持ち、そのまま外部に取り出して使用するように構成されたことを特徴とするものである。【００１１】  本発明の請求項４に記載のティッシュペーパー収納体の目隠しカバーは、多数枚のティッシュペーパーが折り畳まれながら重ね合わせられた集合体で、引き出し口よりティ���シュペーパーの摘み部分が引き出され、１枚づつ引き出し口を介して順次取り出されるように収納された収納体の、引き出し口に丸みを設けて、ティッシュペーパーの向きを変化させ、引き出して使用するように構成された収納体の、さらに引き出し口及び摘み部分を覆う蓋を収納体に設け、前記蓋と収納体との間に、摘み部分が引き出される隙間である誘導空間を確保する収納体の、外周を被覆する目隠しカバーであり、ティッシュペーパーの摘み部分の引き出された方向のカバーには、切り込みのある取り出し口を設け、曲面部に装着されても、前記蓋と収納体との間に、摘み部分が引き出される隙間である誘導空間を確保し、通常は、収納体と引き出された摘み部分は、カバーにより目隠しされ、外部より目視不可の状態であり、ティッシュペーパーを外部に取り出す場合には、前記誘導空間に引き出されている摘み部分を持ち、そのまま外部に取り出して使用するように構成されたことを特徴とするものである。
【発明の効果】
【００１２】  以上の説明から明らかなように、本発明にあっては次に列挙する効果が得られる。
（１）ティッシュペーパーを横方向に取り出すので、ボックスティッシュの如くヒラヒラと上方向に引き出されていた摘み部分の上方空間が必要なくなり、薄型で狭い場所で利用ができ、また引き出された摘み部分を目隠して、外部より見えない状態とするので、スッキリ感を与える収納体と目隠しカバーを提供することができる。【００１３】（２）従来の収納体やホルダー等は、設置や貼り付けしても、平面利用のみであったが、本発明は、曲面部にも装着ができる収納体や、目隠しカバーを提供することができる。【００１４】（３）本発明は蓋付き収納体であっても、蓋装置等の開閉動作が必要なく、簡単にティッシュペーパーの取り出し使用が出来るので、薄型で利用して今まで未利用であった色々な適所に、内臓利用が可能な収納体と目隠しカバーを提供することができる。【００１５】（４）下記の図１、図３、図５の収納体や、蓋付きである図６、図８、図９の収納体も、１枚の紙上等で展開図が図示ができ、複雑な蓋の回動装置や追加部品が不必要であり、簡単な構造なので安価に製造ができる蓋付き収納体を提供することができる。【００１６】（５）自動車内等での使用では、ドアの内張りやヘッドレストや天井やアームレスト等に内蔵や貼り付けしたり、また前記の如く、今まで利用されていなかった座席シート等の曲面部等で、ドライバーの手の届く範囲に装着すれば、不必要時には邪魔にならず、また運転中等の必要時には、目線を移動することなく手を伸ばし、引き出し使用ができるので、安全運転に貢献ができる。【００１７】（６）請求項２，３，４，も前記（１）−（５）と同様な効果が得られる。
【発明を実施するための最良の形態】
【００１８】  以下、図面に示す実施するための最良の形態により、本発明を詳細に説明する。【００１９】  図１は第１の実施する形態においての斜視図で、図２は図１の５０−５１線に沿った拡大断面図であり、１はティッシュペーパー集合体であり、折り畳まれて下記の引き出し口３より順次引き出せるように重ね合わせられていて、２は収納体であり、ティッシュペーパー集合体１を収納する。【００２０】  収納体２は、紙、布、皮、合成樹脂等の素材や、また薄いシート状でもよく、形も四辺形とは限定されず、楕円形等その他の形状でよい。【００２１】  ３は引き出し口で、収納体２に開口されていて、形も四辺形や楕円形等その他の形状でよく、また位置も収納体２の上部とは限定されず、また従来のボックスティッシュ等の引き出し口裏側に粘着されていたフィルムシートは、下記の摘み部分５が誘導空間１０まで引き出されるので、収納体２の内部に引き戻されることもなく、不必要になる。【００２２】  ４は方向転換部であり、引き出し口３の一端に丸みを設けて滑らかにしてあり、ティッシュペーパーは方向転換部４を介して向きを変化させ、引き出される時の摩擦抵抗を減少させるのであり、その結果摘み部分５が、収納体２と目隠しカバー６との隙間である誘導空間１０に、抵抗少なく引き出されるのであり、本発明の特徴である曲面部にも装着ができる。【００２３】  方向転換部４は、ティッシュペーパーの引き出し抵抗を減少させる状態であればよく、形状も丸や楕円や弓形等その他でよく、使用状況により選択される【００２４】  ５は摘み部分で、収納体２よりティッシュペーパーの引き出されている先方部分であり、下記の目隠しカバー６や蓋１１により、目隠しされ外部より見えない状態であり、収納体２と目隠しカバー６との隙間である誘導空間１０に誘導案内される。【００２５】  ６は目隠しカバーで、収納体２を被覆して、収納体２や引き出された摘み部分５を目隠しして外部より見えない状態とし、材質も紙、布、皮、合成樹脂等でよく、また薄いシート状でもよく、形も四辺形や、楕円形や、動物等を模してもよい。【００２６】  ７は補給口で、収納体２を出し入れするために目隠しカバー６に設けた開閉口で、ティッシュペーパーの取り出し使用に邪魔にならない側面や後方等に設け、面ファスナー８で係り止めしたりする。【００２７】  ９は取り出し口で、目隠しカバー６に設けた切込みであり、ティッシュペーパーの引き出された摘み部分５の先方向のカバーに設け、使用時には外部より指を差し込み、下記の誘導空間１０に誘導された摘み部分５を摘み、ティッシュペーパーをそのまま外部に引き出して使用する。【００２８】  取り出し口９は、図１図３のように一文字の切り込みで、位置も図１図２の目隠しカバー６の側面や、図３図４のように目隠しカバー６の上部であったり、使用状況により選択する。【００２９】  １０は誘導空間であり、収納体２と目隠しカバー６や下記の蓋１１との隙間であり、引き出されたティッシュペーパーが方向転換部４により、横方向に向きを変化させられ、収納体２と目隠しカバー６との隙間を通過し、摘み部分５の引き出される先方向の隙間である。【００３０】  図３は、図１図２の目隠しカバー６が伸長し、目隠し���バー６−１となり、側面の一部分が突出した一例での斜視図であり、取り出し口９−１は、目隠しカバー６−１の横や側面部とは限定されず、上部に設けた一例である。【００３１】  図４は、図３の５２−５３線に沿った拡大断面図であり、２０は壁であり、目隠しカバー６−１の一部を壁面２１より突出させて内臓使用した一例であり、ティッシュペーパーを取り出すには、指は取り出し口９−１に差し込むために、壁面２１を汚すこともないが、このとき壁２０は、目隠しカバー６を内臓する色々な適所の一例であり、例えば自動車の座席シートであったり、パソコン机やテーブル板等その他の適所であったりする。【００３２】  本発明は以上のような構造で、これを使用するときは、収納体２の引き出し口３より最上部のティッシュペーパーの摘み部分５を方向転換部４の丸みを介して横方向に引き出し、目隠しカバー６の補給口７の面ファスナー８の係り止めをはずして開けて、摘み部分５の先方が、取り出し口９に見合うように収納体２を目隠しカバー６に挿入し、面ファスナー８で係り止めして補給口７を閉める。
これで収納体２や引き出された摘み部分５は目隠しカバー６内に目隠しされて外部より目視不可の状態であり、ティッシュペーパーを外部に取り出す場合には、取り出し口９に指を差し込み、誘導空間１０に隠されていた摘み部分５を持ち、そのまま外部に引き出して使用するのである。
【発明を実施するための異なる形態】
【００３３】  次に、図５から図１３までに示す本発明を実施するための異なる形態につき説明する。なお、これらの本発明を実施するための異なる形態の説明に当たって、前記本発明の第１の実施するための最良の形態と同一構成部分には同一符号を付して重複する説明を省略する。
【００３４】  図５に示す本発明の第２の実施するための異なる形態において、前記本発明の第１の実施するための最良の形態と主に異なる点は、目隠しカバー６−２を色々な適所に装着する曲面部に一致するように、あらかじめ湾曲に形成した点で、ティッシュペーパー集合体１や収納体２や方向転換部４を、湾曲することなく目隠しカバー６−２に内蔵できることにより、ティッシュペーパーの引き出し抵抗が増加することなく、取り出し使用ができるのが相違点であり、前記本発明の第１の実施するための最良の形態と同様な作用効果が得られる。
【００３５】  図６に示す本発明の第３の実施するための異なる形態において、前記本発明の第１の実施するための最良の形態と主に異なる点は、収納体２に蓋１１を設け収納体２−１として、引き出し口３や方向転換部４や引き出された摘み部分５を覆い隠し、方向転換部４を介して摘み部分５が横方向に向きを変化させるための誘導案内をして覆い隠し、外部より目隠しして、収納体２−１との間に摘み部分５が、引き出される隙間である誘導空間１０−１を確実に確保し、摘み部分５を外部より摘みやすくするのが相違点であり、他は前記本発明の第１の実施するための最良の形態と同様な作用効果がある。
【００３６】  図７は、図６の５４−５５線に沿った拡大断面図であり、蓋１１が引き出し口３の片端より設けられているが、下記の図８や図９も同様に、位置や大きさや形状等は限定されず、使用状況により選択される。
【００３７】  図８は、蓋１１の両端等にリブ１２を設け、リブ付き蓋１１−１とし、収納体２−２との間の補強部材となり、誘導空間１０−１を確実に確保し、目隠しされた摘み部分５を外部より引き出しやすくした一例での斜視図である。
【００３８】  図９は、蓋１１−２が収納体２−３の上部全体を覆い隠した一例での斜視図であり、外部のどの方向からも引き出された摘み部分５を覆い隠し、目隠しカバー６を不必要とするが、ティッシュペーパーを取り出し使用するには、蓋１１−２を開けて、誘導空間１０−１に目隠しされた摘み部分５を摘み、外部に取り出して使用するために、蓋を開ける動作が必要になるので、内臓使用には不向きであるという欠点もある。
【００３９】  図１０は、図８のリブ付き蓋１１−１を設けた収納体２−２の展開図である。
【００４０】  図１１は、図９の蓋１１−２を設けた収納体２−３の展開図であり、図６や図１０と共に本発明の特徴である蓋付きの収納体でも、１枚の紙等で図示ができる簡単な構造であり、そして方向転換部４は丸状に折り曲げ、また組み立てする場合のノリシロは省略してあり、折り線は点線で図示した。
【００４１】  図１２に示す本発明の第４の実施するための異なる形態において、前記本発明の第３の実施するための最良の形態と主に異なる点は、収納体２の上部に蓋１１が設けられた収納体２−１の外周を、目隠しカバー６で被覆した点が誘相違点であり、前記本発明の第１の実施するための最良の形態と同様に、曲面部に一致させての内蔵や貼り付け利用もでき、他も同様な作用効果が得られる。
【００４２】  図１３は、図１２の５６−５７線に沿った拡大断面図であり、他の作用効果は第１の形態と同様である。
【００４３】  なお、本発明は上記の実施例に限定されず、色々な変形が可能であり、一例として、方向転換部４は引き出し口３の一端とは限定されず、形状も半円形や弓形等としたり、また収納体２の内側に設けてもよく、そして摩擦係数の小さい樹脂等の補助材を設けたり、ローラー状に回転する部材を追加してもよい。
【００４４】  また目隠しカバー６は、収納体２の上部や取り出し口９だけ覆い隠し、他は紐やゴム等で係り止め等してもよく、適所に内臓利用した場合等、収納体２の全周を覆う必要もない。
【００４５】  図１、図３、図６、図８、図１２等の収納体２と目隠しカバー６は、自動車の天井等に貼り付け使用した場合、収納体２の引き出し口３が下方に向いていたほうが使用しやすいので、図示とは上下逆転して利用したり、また机の脇等に設置したりする場合は、取り出し口９を上方向で使用する等、収納体２や目隠しカバー６の向きは使用状況により選択する。
【００４６】  また、取り出し口９は一文字の形で図示してあるが、十字形等でもよく、また目隠しカバー６の素材を重ね合わせて切り込みを隠したり、弾力のある素材等を利用して、穴とは認知しずらい形状にしてもよい。
【００４７】  また、取り出し口９は目隠しカバー６の側面に設けるとは限定されず、、図３図４の如く、目隠しカバー６の上面にも設けたが、引き出し口３も収納体２の上部だけでなく、側面に設けてもよく、使用状況により選択される。
【産業上の利用可能性】
【００４８】  本発明はティッシュペーパーを製造する産業で利用され、ティッシュペーパーを必要とする場所等で使用される。
【図面の簡単な説明】
【図１】本発明を実施するための最良の第１の形態の目隠しカバーの斜視図。
【図２】図１の５０−５１線に沿った拡大断面図。
【図３】本発明を実施するための最良の第１の形態の他例での目隠しカバーの斜視図。
【図４】図３の５２−５３線に沿った拡大断面図
【図５】本発明を実施するための最良の第２の形態の目隠しカバーの斜視図。
【図６】本発明を実施するための最良の第３の形態の収納体の斜視図。
【図７】図６の５４−５５線に沿った拡大断面図。
【図８】本発明を実施するための最良の第３の形態の他例での収納体の斜視図。
【図９】本発明を実施するための最良の第３の形態の他例での収納体の斜視図。
【図１０】図８の収納体の展開図。
【図１１】図９の収納体の展開図。
【図１２】本発明を実施するための最良の第４の形態の目隠しカバーの斜視図。
【図１３】図１２の５６−５７線に沿った拡大断面図。
【符号の説明】
【００４９】１：ティッシュペーパー集合体          ２：２−１：２−２：２−３：収納体
３：引出し口                          ４：方向転換部
５：摘み部分                          ６：目隠しカバー
７：補給口                            ８：面ファスナー
９：９−１：取り出し口                １０：１０−１：誘導空間
１１：１１−１：１１−２：蓋          １２：リブ
２０：壁                              ２１：壁面
【図１】
2005324855.tif 000003
【図２】
2005324855.tif 000004
【図３】
2005324855.tif 000005
【図４】
2005324855.tif 000006
【図５】
2005324855.tif 000007
【図６】
2005324855.tif 000008
【図７】
2005324855.tif 000009
【図８】
2005324855.tif 000010
【図９】
2005324855.tif 000011
【図１０】
2005324855.tif 000012
【図１１】
2005324855.tif 000013
【図１２】
2005324855.tif 000014
【図１３】
2005324855.tif 000015